(57)【要約】【課題】貯湯域底部下の非液中ヒータと、の空炊き防止高さを一義的に決められ、かつ貯湯域を立ち上がっている注出路構造を踏襲して、お手入れ性を高められる電気ポットを提供する。【解決手段】器体１に収容した内容液をヒータ１１で加熱して貯湯し、貯湯している内容液をポンプ２６によって注出路２５を通じ器体１の上端前部外に臨む注出口２５ａから注出し使用に供するのに、注出路２５は、貯湯域２１底部外に一旦引き出された後、再度貯湯域２１内に入って立ち上がり、器体１の後部にヒンジ連結された蓋２３で開閉される上端開口２４と蓋２３との間を通じ器体１の上端前部外の注出口２５ａに至るように設けられたことにより、上記の課題を解決する。【選択図】図１
2010233755.tif 000002
【特許請求の範囲】
【請求項１】
器体に収容した内容液をヒータで加熱して貯湯し、貯湯している内容液をポンプによって注出路を通じ器体の上端前部外に臨む注出口から注出し使用に供する電気ポットにおいて、
注出路は、貯湯域底部外に一旦引き出された後、再度貯湯域内に入って立ち上がり、器体の後部にヒンジ連結された蓋で開閉される上端開口と蓋との間を通じ器体の上端前部外の注出口に至るように設けられたことを特徴とする電気ポット。
【請求項２】
器体に収容した内容液をヒータで加熱して貯湯し、貯湯している内容液をポンプによって注出路を通じ器体の上端前部外に臨む注出口から注出し使用に供する電気ポットにおいて、
注出路は、貯湯域底部外に一旦引き出された後、再度貯湯域内に入って立ち上がり、器体の後部にヒンジ連結された蓋で開閉される上端開口と蓋との間を通じ器体の上端前部外の注出口に至るように設けられ、途中一部は蓋の側に装備されて蓋の開閉に伴ない他の部分に対する分離位置と接続位置とに移動されるようにしたことを特徴とする電気ポット。
【請求項３】
器体に収容した内容液をヒータで加熱して貯湯し、貯湯している内容液をポンプによって注出路を通じ器体の上端前部外に臨む注出口から注出し使用に供する電気ポットにおいて、
注出路は、貯湯域底部外に一旦引き出された後、再度貯湯域内に入って立ち上がり、器体の後部にヒンジ連結された蓋で開閉される上端開口と蓋との間を通じ器体の上端前部外の注出口に至るように設けられ、途中一部は器体の前傾またはおよび転倒といった異常姿勢時に止水機能を発揮する異常姿勢時止水構造を有した止水部を有して蓋の側に装備され、かつ蓋の開閉に伴ない、器体の肩部に装備した注出口を持つ注出ガイド部と、貯湯域内を立ち上がる立ち上がりガイド部と、に対する分離位置と接続位置とに移動されるようにしたことを特徴とする電気ポット。
【請求項４】
器体に収容した内容液をヒータで加熱して貯湯し、貯湯している内容液をポンプによって注出路を通じ器体の上端前部外に臨む注出口から注出し使用に供する電気ポットにおいて、
注出路は、貯湯域底部外に一旦引き出された後、再度貯湯域内に入って立ち上がり、器体の後部にヒンジ連結された蓋で開閉される上端開口と蓋との間を通じ器体の上端前部外の注出口に至るように設けられ、途中一部は器体の前傾またはおよび転倒といった異常姿勢時に止水機能を発揮する異常姿勢時止水構造を有した止水部を有して蓋の側に装備され、かつ蓋の開閉に伴ない、器体の肩部に装備した注出口を持つ注出ガイド部と、貯湯域内を立ち上がる立ち上がりガイド部と、に対する分離位置と接続位置とに移動されると共に、蓋に対して着脱できるように支持し、立ち上がりガイド部は器体に対し着脱できるように支持したことを特徴とする電気ポット。
【発明の詳細な説明】
【技術分野】
【０００１】
本発明は、器体に収容した内容液をヒータで加熱して貯湯し、貯湯している内容液をポンプによって注出路を通じ器体の上端前部外に臨む注出口から注出し使用に供する電気ポットに関するものである。
【背景技術】
【０００２】
このような電気ポットは、電気貯湯容器、電気湯沸かし器などと称されて、種々な形態のものが広く普及している。中でも、内容液を外部に注出する注出路が貯湯域内を通っていることで内容液が冷めず、貯湯域を外れて位置する注出路が冷めた内容液を初期注出するような問題を回避したものが知られている(例えば、特許文献１〜３)。が冷めてしまうため内容液を水道水を入れてこれを湯沸かして沸騰させた後、所定の温度で貯湯しておき、必要な都度そのまま注出するか、あるいは再度沸騰させてから注出して使用する。
【０００３】
特許文献１は、貯湯域底部から一端引き出されて再度貯湯域内に戻るまでの途中に電動の遠心ポンプが接続され、貯湯域内に戻った部分は器体の蓋で開閉される上端開口の下部まで立ち上がって後、貯湯域外に出て器体の肩部の前部への張り出し部内に入り、この張り出し部前部にて注出口が下向に突出するようにした技術を開示している。器体の前傾や転倒などの異常姿勢時に止水する止水構造は、注出路の肩部の前部への張り出し部内の注出ガイド部に設けている。注出路の貯湯域内を立ちあがる立ちあがりガイド部は、逆Ｌ字状に形成して注出路の貯湯域下部分と注出ガイド部とに対して着脱できるようにしている。
【０００４】
特許文献２は、液中ヒータを蓋側から貯湯域内に垂下させて内容液を効率よく加熱できるようにするのに併せ、内容液を電動ポンプまたは手動ポンプで加圧し、蓋部や器体の蓋によって開閉される上端開口の下部から貯湯域内に垂下した注出路を通じ器体の前部外に注出するようにした技術を開示している。
【０００５】
特許文献３は、内容液を手動ポンプで加圧し、蓋部や器体の蓋によって開閉される上端開口の下部から貯湯域内に垂下した注出路を通じ器体の前部外に注出するようにした技術を開示している。
【特許文献１】特開平１１ー３４２０７６号公報
【特許文献２】特開２０００−１１６５１６号公報
【特許文献３】特開２００１−８７１３４号公報
【発明の開示】
【発明が解決しようとする課題】
【０００６】
ところで、特許文献１に開示の技術は、遠心ポンプによっても注出路の貯湯域底部から一端引き出されて再度貯湯域内に戻る途中に位置して、非加圧方式にて内容液を注出路を通じ外部に注出できるので、内容液を電動ポンプやベローズポンプなどで加圧して押し出す方式のように加圧漏れによる注出不良は生じない。しかし、注出路の貯湯用域内に臨む逆Ｌ型の立ち上がりガイド部は着脱できてお手入れ性はないが、器体の蓋で開閉される上端開口よりも下で、つまり、器体の蓋による開閉部を避けて器体の前部張り出し部を利用して外部に引き出される結果、着脱するには向かない注出ガイド部に前傾時や転倒時の異常姿勢時に止水する止水構造を設けるしかなく、ディテール部が多いのにお手入れしにくいという問題がある。
【０００７】
特許文献２に開示の技術は、注出路が液中ヒータと共に蓋に装備されたものであるので
、注出路全体にお手入れしにくいものであるし、注出路が貯湯域中に上方から垂下しているので、液中ヒータとの組み合わせ設置例では２者間での空炊き防止高さを一義的に決められるものの、注出路を蓋側の液中ヒータとは別に、器体の側に装備する例では、液中ヒータとの空炊き防止高さを相互間で一義的決められず空炊き防止機能を安定に確保しにくい。また、注出路を蓋から独立して、つまり、器体の蓋による開閉域を避けて設けるのでは、注出路のお手入れ性において特許文献１に開示のものと同様の問題がある。
【０００８】
特許文献３に開示の技術は、底部下の非液中ヒータであるものの、空炊き防止性、注出路のお手入れ性の問題で特許文献２に開示のものと特に変わらない。
【０００９】
本発明は、貯湯域底部下の非液中ヒータと、の空炊き防止高さを一義的に決められ、かつ貯湯域を立ち上がっている注出路構造を踏襲して、お手入れ性を高められる電気ポットを提供することを課題とするものである。
【課題を解決するための手段】
【００１０】
上記のような目的を達成するために、本発明の電気ポットは、器体に収容した内容液をヒータで加熱して貯湯し、貯湯している内容液をポンプによって注出路を通じ器体の上端前部外に臨む注出口から注出し使用に供する電気ポットにおいて、注出路は、貯湯域底部外に一旦引き出された後、再度貯湯域内に入って立ち上がり、器体の後部にヒンジ連結された蓋で開閉される上端開口と蓋との間を通じ器体の上端前部外の注出口に至るように設けられたことを１つの特徴としている。
【００１１】
このような構成では、注出路が貯湯域底部外に一旦引き出された後、再度貯湯域内に入って立ち上がり、器体の後部にヒンジ連結された蓋で開閉される上端開口と蓋との間を通じ器体の上端前部外の注出口に至っていて、貯湯域を立ちあがる範囲で通路内の内容液温度が貯湯温度に保たれるようにしながら、少なくとも器体の上端開口および蓋間はそれらの内部を避けて設けやすい。また、注出路の貯湯域底部外に引き出され、再度貯湯域内に戻る引き出し部分に遠心ポンプを設ければ内容液を注出路内に引き込んで先へ送り出し非加圧式に注出できるし、内容液をポンプにより加圧すれば注出路へ押し出し加圧方式にて注出できる。さらに、注出路の貯湯域底部への接続端開口は、貯湯域底部と一義的な位置関係から、貯湯域底部下の非液中ヒータとの空炊き防止高さを設定することができる。
【００１２】
本発明の電気ポットは、また、器体に収容した内容液をヒータで加熱して貯湯し、貯湯している内容液をポンプによって注出路を通じ器体の上端前部外に臨む注出口から注出し使用に供する電気ポットにおいて、注出路は、貯湯域底部外に一旦引き出された後、再度貯湯域内に入って立ち上がり、器体の後部にヒンジ連結された蓋で開閉される上端開口と蓋との間を通じ器体の上端前部外の注出口に至るように設けられ、途中一部は蓋の側に装備されて蓋の開閉に伴ない他の部分に対する分離位置と接続位置とに移動されるようにしたことを別の特徴としている。
【００１３】
このような構成では、上記１つの特徴の場合に加え、さらに、注出路の途中一部が蓋の内部を通らないまでも蓋側に装備されることで、蓋の開閉に伴い他の部分に対する分離位置と接続位置とに移動される独立部分となり、蓋が開かれると器体の上端開口から持ち去られ、蓋が閉じられると注出路の他の部分との接続状態に戻される。
【００１４】
本発明の電気ポットは、また、器体に収容した内容液をヒータで加熱して貯湯し、貯湯している内容液をポンプによって注出路を通じ器体の上端前部外に臨む注出口から注出し使用に供する電気ポットにおいて、注出路は、貯湯域底部外に一旦引き出された後、再度貯湯域内に入って立ち上がり、器体の後部にヒンジ連結された蓋で開閉される上端開口を通じ器体の上端前部外の注出口に至るように設けられ、途中一部は器体の前傾またはおよ
び転倒といった異常姿勢時に止水機能を発揮する異常姿勢時止水構造を有した止水部を有して蓋の側に装備され、かつ蓋の開閉に伴ない、器体の肩部に装備した注出口を持つ注出ガイド部と、貯湯域内を立ち上がる立ち上がりガイド部と、に対する分離位置と接続位置とに移動されるようにしたことを他の特徴としている。
【００１５】
このような構成では、上記別の特徴の場合に加え、さらに、注出路の蓋に装備される途中一部が異常姿勢時止水構造を有して最高位にて止水機能を発揮し、器体の肩部に装備した注出口を持つ注出ガイド部と、貯湯域内を立ち上がる立ち上がりガイド部での止水構造を不要とする。
【００１６】
本発明の電気ポットは、また、器体に収容した内容液をヒータで加熱して貯湯し、貯湯している内容液をポンプによって注出路を通じ器体の上端前部外に臨む注出口から注出し使用に供する電気ポットにおいて、注出路は、貯湯域底部外に一旦引き出された後、再度貯湯域内に入って立ち上がり、器体の後部にヒンジ連結された蓋で開閉される上端開口と蓋との間を通じ器体の上端前部外の注出口に至るように設けられ、一部は器体の前傾またはおよび転倒といった異常姿勢時に止水機能を発揮する異常姿勢時止水構造を有した止水部を有して蓋の側に装備され、かつ蓋の開閉に伴ない、器体の肩部に装備した注出口を持つ注出ガイド部と、貯湯域内を立ち上がる立ち上がりガイド部と、に対する分離位置と接続位置とに移動されるようにすると共に、蓋に対して着脱できるように支持し、立ち上がりガイド部は器体に対し着脱できるように支持したことをさらなる特徴としている。
【００１７】
このような構成では、上記他の特徴の場合に加え、さらに、注出路の異常姿勢時止水構造を持った途中一部は蓋に対し着脱できるし、内容液中に常時浸漬状態となる立ち上がりガイド部は器体に対し着脱できるので、いずれも単独でのお手入れでき、注出ガイド部および貯湯域底部外に一旦引き出され再度貯湯域内に戻されるまでの引き出し部は、器体に対し着脱しなくても、通路が短く単純なことを利用してお手入れできる。
【００１８】
本発明のそれ以上の目的および特徴は、以下の詳細な説明および図面の記載から明らかになる。本発明の各特徴はそれ自体単独で、あるいは可能な限り種々な組合せで複合して採用することができる。
【発明の効果】
【００１９】
本発明の電気ポットの１つの特徴によれば、注出路は、貯湯域を立ちあがる範囲で通路内の内容液を貯湯温度域に保って初期注出内容液の温度が低下しないようにしながら、少なくとも器体の上端開口および蓋間はそれらの内部を避けて設けやすく、器体、蓋、注出路に独立性を確保した分それらの構造を単純化し、小型化、低コスト化、お手入れ性を高められる。また、遠心ポンプによる内容液を注出路内に引き込み先へ送り出す非加圧式注出にも、内容液をポンプにより加圧して注出路へ押し出し加圧注出方式にも適用できるし、注出路の貯湯域底部への接続端開口と貯湯域底部との一義的な位置関係から、貯湯域底部下の非液中ヒータとの空炊き防止高さを容易かつ確実に設定でき、空炊き防止機能を確保しやすい。
【００２０】
本発明の電気ポットの別の特徴によれば、上記１つの特徴の場合に加え、さらに、注出路の途中一部が蓋の内部を通らないまでも蓋側に装備されて、蓋の開閉に伴い他の部分に対する分離位置と接続位置とに移動される独立部分となり、蓋が開かれると器体の上端開口から持ち去られて内容液を給排するのに邪魔にならない。しかも、蓋が閉じられると注出路の他の部分との接続状態に戻されて内容液の注出が可能になるので使用上不便になることはない。
【００２１】
本発明の電気ポットの他の特徴によれば、上記別の特徴の場合に加え、さらに、注出路
の蓋に装備される途中一部が異常姿勢時止水構造を有して最高位にて、異常姿勢未満での浸水を避けられる有利性を確保して止水機能を発揮できるし、器体の肩部に装備した注出口を持つ注出ガイド部と、貯湯域内を立ち上がる立ち上がりガイド部とが止水構造の不要な簡略構造とすることができる。
【００２２】
本発明の電気ポットのさらなる特徴によれば、上記他の特徴の場合に加え、さらに、注出路の異常姿勢時止水構造を持った途中一部は蓋に対し、内容液中に常時浸漬状態となる立ち上がりガイド部は器体に対し、それぞれ着脱できるので、いずれも通水などしてお手入れしやすく、注出ガイド部および貯湯域底部外に一旦引き出され再度貯湯域内に戻されるまでの引き出し部は、器体に対し着脱しなくても、通路が短く単純なのを利用した通水などにてお手入れしやすい。従って、注出路を清潔に保ちやすい。
【発明を実施するための最良の形態】
【００２３】
以下、本発明の電気ポットの実施の形態につき図１〜図４を参照して詳細に説明し、発明の理解に供する。しかし、以下の説明は本発明の具体例であって、特許請求の範囲の記載の内容を限定するものではない。
【００２４】
本実施の形態は、家庭用の電気ポットの場合の一例であり断熱容器を内容器に用いている。図１に示す例の断熱容器はステンレス鋼製の真空二重容器３を外装ケース２に内容器として収容した器体１を持ち、真空二重容器３の真空空間３ａを形成していない一重底部３ｂの外面に当てがったヒータ１１によって内容液を加熱して貯湯し、内容液を電動の遠心ポンプ２６によって、管路タイプの注出路２５を通じ器体１の上端前部外に臨む注出口２５ａから外部に注出して給湯し使用に供する構成を有している。しかし、器体１および内容液加熱の具体的構成は特に問うものではない。ヒータ１１は例えば、湯沸かしヒータ、保温ヒータを、主として湯沸かしと保温とに使い分けるようにしているが必須ではなく、省エネ保温などを含み各種動作モードに応じて使い分ければよいし、１つのヒータ１１をデューティ比制御して各種動作モードに対応することもできる。
【００２５】
本実施の形態では、特に、注出路２５は図１に示すように、貯湯域２１の底部外に一旦引き出された後、再度貯湯域２１内に入って立ち上がり、器体１の後部に軸２２によりヒンジ連結された蓋２３で開閉される上端開口２４と蓋２３との間を通じ器体１の上端前部外の注出口２５ａに至るように設けている。このように、注出路２５が、貯湯域２１の底部外に一旦引き出された後、再度貯湯域２１内に入って立ち上がり、器体１の後部にヒンジ連結された蓋２３で開閉される上端開口２４と蓋２３との間を通じ器体１の上端前部外の注出口２５ａに至っていて、貯湯域２１を立ちあがる範囲で通路内の内容液温度が貯湯温度に保たれるようにしながら、少なくとも器体１の上端開口２４および蓋２３間はそれらの内部を避けて設けやすい。また、注出路２５の貯湯域２１の底部外に引き出され、再度貯湯域内に戻るステンレス鋼などの金属製とした引き出し部分２５１に遠心ポンプ２６を設ければ内容液を注出路２５内に引き込んで先へ送り出し非加圧式に注出できるし、内容液を手動や電動のポンプにより加圧すれば注出路２５へ押し出し加圧方式にて注出できる。さらに、注出路２５の貯湯域２１の底部へのステンレス鋼などの金属製とした接続端開口２５ｂは、貯湯域２１底部との一義的な位置関係から、貯湯域２１の底部下の非液中タイプのヒータ１１との空炊き防止高さＨを設定することができる。従って、注出路２５は、貯湯域２１を立ちあがる範囲で通路内の内容液を貯湯温度域に保って初期注出内容液の温度が低下しないようにしながら、少なくとも器体１の上端開口２４および蓋２３間はそれらの内部を避けて設けやすく、器体１、蓋２３、注出路２５に独立性を確保した分それらの構造を単純化し、小型化、低コスト化、お手入れ性を高められる。また、遠心タイプのポンプ２６による内容液を注出路内に引き込み先へ送り出す非加圧式注出にも、内容液をポンプにより加圧して注出路２５へ押し出し加圧注出方式にも適用できるし、注出路２５の貯湯域２１の底部への接続端開口２５ａと貯湯域２１の底部との一義的な位置関係
から、貯湯域２１底部下の非液中タイプのヒータ１１との空炊き防止高さＨを容易かつ確実に設定でき、空炊き防止機能を確保しやすい。
【００２６】
また、注出路２５の途中一部２５３は図２に示すように蓋２３の側に装備されて、蓋２３の図２および図１に示すような開閉に伴ない他の部分に対する図２に示す分離位置と、図１に示す接続位置とに移動されるようにしている。ここに、注出路２５の途中一部２５３が、蓋２３の開閉に伴い分離され、または接続される他の部分は、図１、図２に示す貯湯域２１内を立ちあがる立ち上がりガイド部２５２と、器体１の開口２４を有した上端部を形成する肩部４の前部に張り出した張出し部４ａを利用して設けた注出ガイド部２５４とである。このように、注出路２５の途中一部２５３が蓋２３の内部を通らないまでも蓋２３側に図２に示すように装備されることで、蓋２３の開閉に伴い注出路２５の他の部分である立ち上がりガイド部２５２と注出ガイド部２５４とに対する、図２に示す分離位置と図１に示す接続位置とに移動される独立部分となり、２３が開かれると器体１の上端開口２４から、図１に示す状態度から図２に示す状体に持ち去られ、蓋２３が閉じられると図２に示す状態から図１に示す状態に注出路２５の他の部分である立ち上がりガイド部２５２および注出ガイド部２５４との接続状態に戻される。従って、注出路２５の途中一部が蓋２３の内部を通らないまでも蓋２３側に装備されて、蓋２３の開閉に伴い他の部分である立ち上がりガイド部２５２および注出ガイド部２５４に対する図２に示す分離位置と図１に示す接続位置とに移動される独立部分となり、蓋２３が開かれると器体１の上端開口２４から持ち去られて内容液を給排するのに邪魔にならない。しかも、蓋２３が閉じられると注出路２５の他の部分である立ち上がりガイド部２５２および注出ガイド部２５４との接続状態に戻されて内容液の注出が可能になるので使用上不便になることはない。
【００２７】
しかも、注出路２５の途中一部２５３は、器体１の前傾またはおよび転倒といった異常姿勢時に止水機能を発揮する異常姿勢時止水構造を有した図１、図２に示すような止水部５を有して蓋２３の側に装備され、かつ蓋２３の開閉に伴ない、器体１の肩部４に装備した注出口２５ａを持つ注出ガイド部２５４と、貯湯域２１内を立ち上がる立ち上がりガイド部２５２と、に対する分離位置と接続位置とに移動されるようにしている。これにより、注出路２５の蓋２３に装備される途中一部２５３が異常姿勢時の止水部５を有して図１に示す器体１における最高位にて止水機能を発揮し、器体１の肩部に装備した注出口２５ａを持つ注出ガイド部２５４と、貯湯域２１内を立ち上がる立ち上がりガイド部２５２での止水構造を不要とする。従って、注出路２５の蓋２３に装備される途中一部２５３が異常姿勢時の止水部５を有して最高位にて、異常姿勢未満での浸水を避けられる有利性を確保して止水機能を発揮できるし、器体１の肩部４に装備した注出口２５ａを持つ注出ガイド部２５４と、貯湯域２１内を立ち上がる立ち上がりガイド部２５２とが止水構造の不要な簡略構造となる。
【００２８】
さらに、途中一部２５３は、器体１の前傾またはおよび転倒といった異常姿勢時に止水機能を発揮する異常姿勢時止水構造を有した止水部５を有して蓋３の側に装備され、かつ蓋２３の開閉に伴ない、器体１の肩部に装備した注出口２５ａを持つ注出ガイド部２５４と、貯湯域２１内を立ち上がる立ち上がりガイド部２５２と、に対する分離位置と接続位置とに移動されるようにすると共に、蓋２３２に対して着脱できるように支持し、立ち上がりガイド部２５２は器体１に対し着脱できるように支持している。これにより、注出路２５の異常姿勢時止水構造を持った途中一部２５３は、蓋２３に対し着脱できるし、内容液中に常時浸漬状態となる立ち上がりガイド部２５２は器体１に対し着脱できるので、いずれも単独でのお手入れでき、注出ガイド部２５４および貯湯域２１の底部外に一旦引き出され再度貯湯域２１内に戻されるまでの引き出し部２５１は、器体１に対し着脱しなくても、通路が短く単純なことを利用してお手入れできる。この結果、注出路２５の異常姿勢時止水構造を持った途中一部２５３は、蓋２３に対し、内容液中に常時浸漬状態となる立ち上がりガイド部２５２は器体１に対し、それぞれ着脱できるので、いずれも通水など
してお手入れしやすく、注出ガイド部２５４および引き出し部２５１は、器体１に対し着脱しなくても、通路が短く単純なのを利用した通水などにてお手入れしやすい。従って、注出路を清潔に保ちやすい。同時に、立ち上がり部２５２および途中一部２５３の器体１に対する退避または取り外しは、器体１の上端開口２４および器体１内にお手入れの邪魔になるものが残らないことを意味し、清潔にしやすく保ちやすい。
【００２９】
本実施の形態について、さらに具体的に説明すると、図１に示すように、初期設定にて設定され、あるいは張り出し部４ａの上面に設けられた操作パネル３１上で設定された動作モード、注出操作などに従った動作制御を行うのにマイクロコンピュータなどを搭載した操作パネル３１内側の制御基板３２や器体１の底部内に設けた電源制御基板３３などを用いているが、ハード回路を含めた種々な機器を採用した制御手段とすることができる。湯沸しや通常保温、省エネ保温などのために内容液の温度を検知した温度情報を用いるのに、真空二重容器３におけるヒータ１１を当てがっている一重底部３ｂの中央に、個別に当てがった内容器センサ２９を設けて内容液温度をモニタするようにしてある。
【００３０】
外装ケース２は、合成樹脂製の底部材４１と合成樹脂製の肩部４との間に金属製の胴部４２を挟んだ構造で、肩部４にねじ４３にて肩部をシール部材５２を介し連結した真空二重容器３の底部と底部材４１とを、ヒータ１下の遮熱金属板４５を介し連結金具４４により連結して器体１の全体を一体に結合している。肩部４は、器体１上端に開口２４を底部に有して真空二重容器３の口部３ｃに繋がる皿型凹部４ｂを形成して、真空二重容器３の口部３ｃを通じた給液、および口部３ｃを通じた内容液の排液をガイドできるようにしている。また、肩部４は、張り出し部４ａの胴部４２の真円域よりも前部に張り出した操作パネル３１にほぼ対応した範囲の下部に、横に向いたほぼＳ字型で例えば合成樹脂製の注出ガイド部２５４を内蔵して、皿型凹部４ｂから操作パネル３１の設置域近くまで延びた拡張凹部４ｃの底部開口４ｄに内容液受け入れ口２５４ａが上向きに接続され、先端の注出口２５ａが張り出し部４ａの下に当てがったパイプカバー４７の底部先端側に設けた開口４７ａを通じ下向きに器体１外部に突出するようにしている。なお、注液ガイド部２５４は、その受け入れ口２５４ａと肩部４の筒状の底部開口４ｄとの嵌め合わせと、途中に下向きに一体形成した取付筒２５４ｂがパイプカバー４７の突起４７ｃへの嵌め合わとによって張り出し部４ａ内に支持されている。また、途中一部２５３の送り出し口２５３ｄは、注出ガイド部２５４の受け入れ口２５４ａおよび底部開口４ｄに隙間Ｓを有して下向きに嵌り合っている。この嵌り合いにより途中一部２５３の送り出し口２５３ｄから送り出される内容液は外部に溢れたり、漏れたりせずに注出ガイド部２５４内に流れ込んでスムーズに注出されるようにするし、万が一にも、注出口２５ａから不用意な吸い出し作用を受けても貯湯域２１側に及ばないし、注出口２５ａが貯湯域２１での貯湯水位を下回っての注出における注出停止時にサイフォン現象による内容液の不用意な流出が生じないようにする。
【００３１】
これに対応して、蓋２３は、器体１の上端開口２４を、操作パネル３１および軸受部４６との間でほぼ面一をなして閉じる上面形状と、この閉じ状態で、蓋２３が支持する注出路２５の途中一部２５３を含み、肩部４が器体１の開口２４上に形成している皿型凹部４ｂおよび拡張部４ｃにほぼ沿う下面形状とを有したものとしてあり、蓋２３の閉じ状態では、器体１の上端開口２４と蓋２３側との間にデッドスペースがなく、かつ、蓋２３の下面まわりに装着した環状のシールパッキン５１が皿型凹部４ｂの底部に開口している器体１の上端開口２４の口縁上部に圧着して、上端開口２４をシール状態に閉じるようにしている。
【００３２】
蓋２３は、また、軸２２を一体に支持しており、この軸２２が肩部４の軸受部４６にその出し入れ口４６ａを通じ、蓋２３の半開き状態度で着脱できるように受け入れて着脱できるように枢支され、この枢支状態はロック部材５３がばね５４の付勢により出し入れ口
４６ａを図１に示すように塞がれることで確固に保持される。しかし、ロック部材５３をばね５４に抗し押し下げ出し入れ口４６ａを開くことで蓋２３を取り外せる。一方、蓋２３の枢支状態への装着は、ロック部材５３の上端の傾斜部を軸２２により押動することで、ロック部材５３を出し入れ口４６ａから退避させられるので、ロック部材５３の特別な退避操作なしに実行できる。
【００３３】
蓋２３は、さらに、注出路２５の途中一部２５３を、肩部４に軸２２でヒンジ連結される蓋本体１０４と、前記シールパッキン５１を有して蓋本体１０４の内側に着脱できるように保持される内蓋部２０４との間に着脱できるように支持するようにしてある。
【００３４】
具体的には、蓋本体１０４は、図１、図２、図３に示すように、合成樹脂製の上板１０４ａと合成樹脂製の下板１０４ｂとで中空に形成され、上記上面形状を満足したものとし、後部に軸２２が装着されると共に、自由端部に蓋２３が閉じられたとき器体１の側の係止部５５にばね５７の付勢により弾性係合して蓋２３を閉じ状態にロックするロック部材５６と、このロック部材５６をばね５７に抗し係合位置からを後退させてロックを解除できるように軸５９にて枢支したレバータイプのロック解除部材５８とを装備している。また、内蓋部２０４は、シールパッキン５１を外周部に装着し、前部寄りに注出路２５の途中一部２５３の内容液の受け入れ口２５３ａ部を上方から挿入して保持する保持凹部６１を有した合成樹脂製の下板２０４ａと、下板２０４ａの保持凹部６１を除く範囲を覆う合成樹脂製の上板２０４とで断熱材６２を挟み込んだ中空部を形成している。内蓋部２０４の下面には金属製の内蓋２０４ｃを当てがいシールパッキン５１と下板２０４ａとの間に挟み込んで保持されるようにし、真空二重容器３ないからの蒸気が蓋２３に及ぶ範囲を内蓋２０４ｃにて遮断できるようにしている。
【００３５】
蓋本体１０４は、下板１０４ｂの後部外周に、内周側と前部側とに開放した保持溝６３を一体形成しており、この保持溝６３に内蓋部２０４の後部外周に形成したフランジ部６４を前部側からスライド式に嵌め合わせることで、内蓋部２０４を蓋２３の図１に示す閉じ位置と図２に示す開き位置との間の開閉動作によっても脱落させず、図１に示す、図２に示す状態に安定に保持できるようにしている。また、内蓋部２０４は、蓋本体１０４に保持された状態では保持凹部６１に上方から受け入れた注出路２５の途中一部２５３の、少なくとも一部の上部が、図１、図２に示すように蓋本体１０４の下板１０４ｂの下面に当接ないしは近接することで、注出路２５の途中一部２５３が保持凹部６１から抜け出るのを邪魔され不用意に脱落するのを阻止できるようにしている。また、蓋本体１０４の下板１０４ｂには、当接している途中一部２５３の両側に跨る図３に示すような保持壁６５を左右一対一体成形されて、途中一部２５３が保持凹部６１への嵌め合い部を中心に、不用意に振れたり、回動したりするのを防止するようにしている。
【００３６】
内蓋部２０４、蓋本体部１０４には、それらの図１、図２に示す組み合わせ状態で、内蓋部２０４の内蓋２０４ｃに設けた蒸気逃がし口７１ａと蓋本体部１０４の上面に設けた蒸気放出口７１ｂとの間を繋ぐ蒸気通路７１ｃ、７１ｄをそれぞれ設け、蒸気通路７１ｃおよび７１ｄはそれらの対向側の一方、具体的には蒸気通路７１ｄ側に設けたシールパッキン７２が蒸気通路７１ｃ側に圧着して双方を蒸気漏れが生じない接続状態となるようにしている。蒸気通路７１ｄの上流側には器体１の転倒時に蒸気通路７１ｄを閉じて内容液が先へ流出するのを防止する転倒時水弁７３が、蒸気通路７１ｄの途中は万一侵入してくる内容液を一時的に溜めることで外部への流出を遅らせる液溜まり部７１ｅがそれぞれ設けられている。しかし、これらの位置は蒸気通路７１ｃを含んでどの位置にどのように設けられてもよい。なお、内蓋２０４ｃの蒸気逃がし口７１ａのまわりと、内蓋部２０の下板２０４ａの蒸気通路７１ｃのまわりとの間には環状のシールパッキン８５を挟み込み、蒸気逃がし口７１ａと蒸気通路７１ｃとの間で、蒸気漏れ、液漏れがないようにしている。
【００３７】
注出路２５の例えば合成樹脂製とした途中一部２５３の異常姿勢時の止水部５は、保持凹部６１に上方から挿入されてその底部開口６１ａから真下に臨む受け入れ口２５２ａから立ち上がり、肩部４が形成する皿型凹部４ｂから前部側への拡張凹部４ｃの先端底部開口４ｄ上に向かう横向き路２５３ｂとの屈曲部２５３ｃに設けられた前傾時止水弁５ａと、この前傾時止水弁５ａの下に設けられた転倒時止水弁５ｂとの複合タイプとしてある。
【００３８】
以上から、途中一部２５３を図２に示すように保持した蓋２３を閉じると、図１に示すように途中一部２５３の先端の下向きに開口した内容液の送り出し口２５３ｄが器体１の側の皿型凹部４ｂから前部に拡張した拡張凹部４ｃの先端部の底部開口４ｄに上方から入り込み、自身に受け入れた内容液を注出ガイド部２５４に送り込み、注出口２５ａから注出させられる。
【００３９】
これに対応して、立ち上がりガイド部２５２は、図２に示すように肩部４が形成する器体１の上端開口２４の前部に形成したガイド受７５に上方から着脱できるように挿入して設置位置に下方から支持されるようにしてある。このため、ガイド受７５は、底部７５ａに立ち上がりガイド部２５２を上方から挿入する挿入口７５ｂを持ち、底部７５ａの外まわりに位置決め周壁７５ｃを一体形成してあり、挿入される立ち上がりガイド２５２の上端に後部側に偏心して設けられた上部フランジ２５２ｂを底部７５ａ上に受け止めて支持し、上部フランジ２５２ｂの外周と位置決め周壁７５ｃとの嵌り合いによって立ち上がりガイド２５２を回り止めするようにしている。また、この支持状態にて、立ち上がりガイド部２５２の接続部２５２ｃが引き出し部２５１の貯湯域２１の底部内に突出している金属製の送り出し口２５ｃに着脱できるように接続されるようにしている。このように器体１の側に着脱できるように支持された立ち上がりガイド部２５２は、上部フランジ２５２ｂが閉じられた蓋２３に支持された途中一部２５３の受け入れ口２５３ａの外まわりに装着されたシールパッキン７６と図１に示すように圧接する位置にあり、立ち上がりガイド部２５２を器体１に装着した状態で、途中一部２５３を支持した蓋２３を閉じると、注出路２５の全体が繋がりポンプ２６の動作によって内容液を注出路２５を通じその先端の注出口２５ａから注出して給湯し使用に供することができる。
【００４０】
立ち上がりガイド部２５２は、ステンレス鋼製のパイプ８１よりなり、上部フランジ２５２ｂおよび接続部２５２ｃは合成樹脂製としてパイプ８１の上下端に装着してある。  特に、上部フランジ２５２ａおよび接続部２５２ｂはハードな合成樹脂製としてパイプ８１の上下端に無理嵌め凹凸嵌合部８２、８３を有して固着してあり、上部フランジ２５２ｂは末広がりな漏斗状の送り出し口２５２ｄの下流端に形成され、送り出し口２５２ｄをこれの開口端よりも小径な連通孔２５２ｅを後部寄りに有した合成樹脂製の蓋板８４を溶着して覆ってあり、注出されてくる内容液を送り出し口２５２ｄに滞流させながら一旦これを絞り、安定した流れとして途中一部２５３へ送り出せるようにしている。  接続部２５２ｃは、その下端にシリコンゴムなどのシール材料よりなる接続口２５２ｃ１を装着して、この接続口２５２ｃ１により引き出し部２５１の送り出し口２５ｃに上方から弾性的に嵌め合わせて簡単に、しかし、漏れ出しのないように接続し着脱できるようにしてある。
【００４１】
さらに、図１に示すように、真空二重容器３と外装ケース２との間には透明な縦向きの液量管８６を設けて、下端および上端を貯湯域２１の底部と、肩部材４がなす器体１の上端開口２４とに接続し、貯湯域２１と同一の液位で内容液が入り込むようにしてある。この液量管８６への内容液の入り込み液位を、既述のパイプカバー４７が側部材４１にまで延びて外装ケース２の胴部前部に形成している装飾部４７ｂに設けた図示しない液量表示窓を通し外部から視認して液量を判断できるようにしている。具体的には、図４に示すように、ポンプ２６のケーシングに注出路２５と接続する吸入口２６ａおよび吐出口２６ｂ
の加え、液量管８６の下端に合成樹脂製のシール材料よりなるエルボ８７にて接続される連通口２６ｃを設けて、液量管８６の下端がポンプ２６のケーシングを通じて貯湯域２１の底部に連通するようにし、図１、図２に示すように肩部４の上端開口２４から前部側に突出する連通口４ｅを設けて、液量管８６の上端と合成樹脂製のシール材料よりなるエルボ８８にて接続することで、液量管８６の上端が器体１の上端開口２４に通じ、貯湯域２１の上部空間に連通するようにしている。
【産業上の利用可能性】
【００４２】
本発明は、電気ポットに実用でき、貯湯域底部下の非液中ヒータと、の空炊き防止高さを一義的に決められ、かつ貯湯域を立ち上がっている注出路構造を踏襲した注出路構造にて、お手入れ性を高められる。
【図面の簡単な説明】
【００４３】
【図１】本発明の実施の形態に係る電気ポットの１つの例を示す断面図である。
【図２】同電気ポットの蓋を注出路の途中一部を伴い開いた状態を示す断面図である。
【図３】同電気ポットの蓋、注出路の分離状態を示す断面図である。
【図４】同電気ポットの真空二重容器底部の注出路引き出し部およびポンプ接続状態を示す平面図、ポンプの側面図および断面図である。
【符号の説明】
【００４４】
１  器体
４  肩部
４ａ  張出し部
４ｂ  皿型凹部
４ｃ  拡張凹部
４ｄ  底部開口
１１  ヒータ
２２  軸
２３  蓋
２４  上端開口
２５  注出路
２５ａ  注出口
２５１  引き出し部
２５２  立ち上がりガイド部
２５３  途中一部
２５４  注出ガイド部
２６  ポンプ
４６  軸受け部
４７  パイプカバー
４７ａ  底部開口
６１  保持凹部
６３  保持溝
６４  フランジ部
【図１】
2010233755.tif 000003
【図２】
2010233755.tif 000004
【図３】
2010233755.tif 000005
【図４】
2010233755.tif 000006